(57)【特許請求の範囲】
【請求項１】
切手販売情報を入力する切手販売情報入力手段と、入力された切手販売情報を管理する情報管理手段と、開閉可能な複数の切手収容箱および各切手収容箱に対応されかつ当該各切手販売情報を目視確認可能な各表示器を有する切手整理棚と、複数枚の切手シートを収容可能な切手収容カセット，切手の搬送手段および切断手段を有し切手シートを切断した指定枚数の切手を払出可能に形成された複数の切手払出ユニットとを具備し、切手販売情報入力手段または情報管理手段から切手収容箱を指定して出力された表示信号に基づき各切手収容箱に対応された各表示器に当該切手販売情報を表示可能かつ切手販売情報入力手段または情報管理手段から切手払出ユニットを指定して出力された当該切手販売情報を含む駆動信号に基づき当該切手払出ユニットに当該切手販売情報に対応する切手を自動払出可能に形成した切手販売装置。
【請求項２】
前記切手販売情報が金額および枚数を含むものとされている請求項１記載の切手販売装置。
【請求項３】
前記切手販売情報入力手段が切手販売取消情報も入力可能かつ前記情報管理手段が入力された切手販売取消情報も管理可能に形成されるとともに、入力された切手販売取消情報に対応する切手を収容可能かつ収容された切手の少なくても金額および枚数を含む切手再販売可能情報を表示可能な切手再販管理ボックスが設けられている請求項１または請求項２記載の切手販売装置。
【請求項４】
前記切手整理棚に前記各切手収容箱ごとの当該各収容切手の金額を含む箱ＩＤを設定可能な箱ＩＤ設定手段を設けかつ前記切手販売情報入力手段または前記情報管理手段が箱ＩＤ設定手段を用いて設定された箱ＩＤを利用して切手収容箱を指定した前記表示信号を出力可能に形成されるとともに、前記各切手払出ユニットに当該各収容切手の金額を含むユニットＩＤを設定可能なユニットＩＤ設定手段を設けかつ前記切手販売情報入力手段または前記情報管理手段がユニットＩＤ設定手段を用いて設定されたユニットＩＤを利用して切手払出ユニットを指定した前記駆動信号を出力可能に形成されている請求項１から請求項３までのいずれか１項に記載された切手販売装置。
【請求項５】
前記各切手払出ユニットが上下に積重ね配設されかつ最下段の各切手払出ユニットの下に切手販売代金を収容可能で自動開放可能なドロワが配設されている請求項１から請求項４までのいずれか１項に記載された切手販売装置。
【請求項６】
前記各切手払出ユニットには売れ筋切手が収容されかつ前記各切手収容箱にはその余の切手が収容されている請求項１から請求項５までのいずれか１項に記載された切手販売装置。
【発明の詳細な説明】
【０００１】
【発明の属する技術分野】
本発明は、切手販売情報入力手段と、情報管理手段と、開閉可能な複数の切手収容箱および各切手収容箱に対応されかつ当該各切手販売情報を目視確認可能な各表示器を有する切手整理棚と、複数枚の切手シートを収容可能な切手収容カセット，切手の搬送手段および切断手段を有し切手シートを切断した指定枚数の切手を払出可能に形成された複数の切手払出ユニットとを具備し、切手を手出し可能かつ自動払出可能な切手販売装置に関する。
【０００２】
【従来の技術】
郵便窓口事務は、内外郵便料金計算、切手類の販売・交換、郵便証紙の発行、各種郵便（例えば、書類郵便，別納郵便，後納郵便，国際郵便）の引受け等の多岐にわたる。また、窓口後方で行われる窓口事務処理状況の集計・管理事務には、切手類の補充請求書の作成や各種統計資料（例えば、切手類販売累計表，各種郵便物の引受日計簿，各種郵便物の引受月計簿，各種郵便物の引受年計簿等）の作成が含まれる。
【０００３】
これら業務は、個別的な専用事務機の利用および手作業によって行われている場合が多い。これに対して、郵便窓口事務および窓口後方事務の各種情報を一括的処理できるようにした郵便窓口事務処理装置が提案（例えば、特許番号  第２５４３１７５号）されている。これによれば、迅速かつ正確な事務処理ができる。例えば、ある種の情報集計は、電子的速度で処理される。
【０００４】
【発明が解決しようとする課題】
ところで、かかる郵便窓口事務処理装置を導入した場合でも、特に、図１８に示す切手７の販売事務の能率を向上させることができない。なお、この明細書で言う“切手”には、文言通りの“切手”の他に“収入印紙”および“特許印紙”も含まれる。
【０００５】
つまり、レタートレイ構造と同様な複数の切手収容箱を有する切手整理棚から、客希望金額の図１８に示す切手シート１が収容されている切手収容箱を見極めかつ引出し、そして、取出した切手シート１から例えば列方向ミシン目２および行方向ミシン目５を境に客希望枚数の切手７を引き千切る。しかる後に、当該切手収容箱を閉めてから、当該切手を客に手渡す。金銭授受も伴う。と言う従来事務遂行方法が採られているからである。
【０００６】
しかも、初心者では客希望金額の切手が収容されている切手収容箱の見極めに多くの時間が掛かる。切手収容箱ごとの収容切手を変更した場合にはなおさらである。したがって、他の切手収納箱を間違えて開いてしまうことが生じ易く、やり直し作業に伴い誤認取出した先の切手が紛失してしまう虞がある。後ろ向きになって背後に配置された切手整理棚（切手収容箱）から当該切手を取出すレイアウトの場合には、係員がカウンターで客希望金額と枚数とを聴いてから切手整理棚（切手収容箱）に向かうまでに、当該金額および枚数を錯誤したり失念してしまうことがある。
【０００７】
また、切手シート１から所定枚数の切手７だけ引き千切る作業自体が煩わしい。切手が破れる場合があり、その対処が難しい。特に、売れ筋切手の場合に顕著である。さらに、客の変更や取消し希望により端数（バラバラ）となった切手の管理や再販売処理が難しい。
【０００８】
本発明の目的は、客希望の切手を迅速かつ正確に取出せるとともに、事務能率を大幅に向上できる切手販売装置を提供することにある。また、客希望金額および枚数の変更等に対する処理を簡単に行える切手販売装置を提供する。
【０００９】
【課題を解決するための手段】
請求項１の発明は、切手販売情報を入力する切手販売情報入力手段と、入力された切手販売情報を管理する情報管理手段と、開閉可能な複数の切手収容箱および各切手収容箱に対応されかつ当該各切手販売情報を目視確認可能な各表示器を有する切手整理棚と、複数枚の切手シートを収容可能な切手収容カセット，切手の搬送手段および切断手段を有し切手シートを切断した指定枚数の切手を払出可能に形成された複数の切手払出ユニットとを具備し、切手販売情報入力手段または情報管理手段から切手収容箱を指定して出力された表示信号に基づき各切手収容箱に対応された各表示器に当該切手販売情報を表示可能かつ切手販売情報入力手段または情報管理手段から切手払出ユニットを指定して出力された当該切手販売情報を含む駆動信号に基づき当該切手払出ユニットに当該切手販売情報に対応する切手を自動払出可能に形成された切手販売装置である。
【００１０】
かかる発明では、切手販売情報入力手段を用いて切手販売情報を入力すると、当該切手販売情報は情報管理手段で管理される。したがって、窓口後方事務に有効利用できる。
【００１１】
また、切手販売情報入力手段または情報管理手段は、切手収容箱を指定した表示信号を切手整理棚へ出力する。切手整理棚側では、入力された表示信号に基づき当該切手収容箱に対応された表示器に当該切手販売情報を表示する。したがって、客希望の切手が収容された切手収容箱を迅速かつ正確に見極めできるから、当該切手を簡単に取出せる。
【００１２】
さらに、切手販売情報入力手段または情報管理手段は、切手払出ユニットを指定した当該切手販売情報を含む駆動信号を当該切手払出ユニットへ出力する。当該切手払出ユニットでは、入力された駆動信号に基づき搬送手段および切断手段が働き、切手収容カセットから取出した切手シートを切断しつつ指定枚数の切手を自動的に払出す。したがって、切手整理棚に収容された切手の場合には、切手販売情報を入力するだけで、客希望の切手が自動払出される。
【００１３】
よって、客希望の切手を迅速かつ正確に取出せるとともに、事務能率を大幅に向上できる。取扱いも簡単である。
【００１４】
また、請求項２の発明は、前記切手販売情報が少なくても金額および枚数を含むものとされている切手販売装置である。
【００１５】
かかる発明では、開閉可能な複数の切手収容箱に対応する各表示器でかつ表示信号で指定された切手収容箱の表示器には、当該客希望切手の金額および枚数が表示されるから、客希望の切手が収容された切手収容箱および取出すべき枚数をより迅速かつ正確に見極めかつ当該切手を簡単に取出せる。また、駆動信号で指定された切手払出ユニットは、当該切手販売情報に基づき当該指定枚数の切手をより正確に払出せる。
【００１６】
したがって、請求項１の発明の場合と同様な作用効果を奏することができることに加え、さらに切手整理棚に収容された切手の取扱いが一段と容易でかつより正確な取出しができる。
【００１７】
また、請求項３の発明は、前記切手販売情報入力手段が切手販売取消情報も入力可能かつ前記情報管理手段が入力された切手販売取消情報も管理可能に形成されるとともに、入力された切手販売取消情報に対応する切手を収容可能かつ収容された切手の少なくても金額および枚数を含む切手再販売可能情報を表示可能な切手再販管理ボックスを設けた切手販売装置である。
【００１８】
かかる発明では、例えば客から金額または／および枚数の変更を希望された場合には、切手販売情報入力手段を用いて、変更前の切手に関する切手販売取消情報を入力する。また、変更後の切手に関する切手販売情報を入力する。切手販売取消情報も、情報管理手段で管理される。
【００１９】
そして、変更前の切手は、切手再販管理ボックスに収容させておく。収容された切手の少なくても金額および枚数を含む切手再販売可能情報は表示される。各切手についての金額および枚数を一覧表示するのが好ましい。
【００２０】
かくして、以降の客希望の切手が、表示された切手再販売可能情報に含まれている場合には、切手再販管理ボックスから取出して販売することができる。つまり、バラバラの切手を優先的に処理できるので、締め操作時の在庫管理が容易になる。なお、この際は、再販宣言をしてから切手販売情報入力手段を用いて当該切手販売情報（変更後の情報）を入力するのが望ましい。自動払出との重複防止のためである。
【００２１】
したがって、請求項１および請求項２発明の場合と同様な作用効果を奏することができることに加え、さらに一旦販売した端数的でバラバラの切手の処理を簡単に行える。
【００２２】
また、請求項４の発明は、前記切手整理棚に前記各切手収容箱ごとの当該各収容切手の金額を含む箱ＩＤを設定可能な箱ＩＤ設定手段を設けかつ前記切手販売情報入力手段または前記情報管理手段が箱ＩＤ設定手段を用いて設定された箱ＩＤを利用して切手収容箱を指定した前記表示信号を出力可能に形成されるとともに、前記各切手払出ユニットに当該各収容切手の金額を含むユニットＩＤを設定可能なユニットＩＤ設定手段を設けかつ前記切手販売情報入力手段または前記情報管理手段がユニットＩＤ設定手段を用いて設定されたユニットＩＤを利用して切手払出ユニットを指定した前記駆動信号を出力可能に形成されている切手販売装置である。
【００２３】
かかる発明では、箱ＩＤ設定手段を用いて、各切手収容箱ごとに当該収容切手の金額を含む箱ＩＤ（切手収容箱識別情報）を設定する。また、ユニットＩＤ設定手段を用いて、各切手払出ユニットごとに当該収容切手の金額を含むユニットＩＤ（ユニット識別情報）を設定する。
【００２４】
すると、切手販売情報入力手段または情報管理手段は、設定された箱ＩＤを利用して当該切手収容箱を指定した表示信号を出力する。また、設定されたユニットＩＤを利用して切手払出ユニットを指定した駆動信号を出力する。
【００２５】
したがって、請求項１から請求項３までの発明の場合と同様な作用効果を奏することができることに加え、さらに各切手払出ユニットに例えば売れ筋切手を収容し直したり、各切手収容箱に収容する切手の種類（金額）を比較的に販売実績の多い切手を引き出し易い切手収容箱に収容させる等のように、切手収容先の変更を簡単にすることができるから、取扱いが容易でかつ適応性が広い。
【００２６】
さらに、請求項５の発明は、前記各切手払出ユニットが上下に積重ね配設されかつ最下段の各切手払出ユニットの下に切手販売代金を収容可能で自動開放可能なドロワが配設されている切手販売装置である。
【００２７】
かかる発明では、上下に積重ね配設された切手払出ユニットから、切手が自動払出された場合、当該代金を最下方のドロワが自動開放される。したがって、請求項１から請求項４までの発明の場合と同様な作用効果を奏することができることに加え、さらに代金処理を迅速かつ確実に行える。
【００２８】
さらに、請求項６の発明は、前記各切手払出ユニットには売れ筋切手が収容されかつ前記各切手収容箱にはその余の切手が収容されている切手販売装置である。
【００２９】
かかる発明では、販売回数の多い売れ筋切手が自動払出される。したがって、請求項１から請求項５までの発明の場合と同様な作用効果を奏することができることに加え、さらに係員の負担を軽減しつつ販売事務能率を一段と大幅に向上できる。
【００３０】
【発明の実施の形態】
以下、本発明の実施形態について図面を参照して説明する。
本切手販売装置は、図１〜図１７に示す如く、切手販売情報を入力する切手販売情報入力手段（４０）と、入力された切手販売情報を管理する情報管理手段（５０）と、開閉可能な複数の切手収容箱１１Ａ〜１１Ｎおよび各切手収容箱に対応されかつ当該各切手販売情報を目視確認可能な各表示器１３Ａ〜１３Ｎ（１４Ａ〜１４Ｎ）を有する切手整理棚１０と、複数枚の切手シート１を収容可能な切手収容カセット２２，搬送手段２３および切断手段２６を有し切手シート１を切断した指定枚数の切手７を払出可能に形成された複数の切手払出ユニット２１Ａ〜２１Ｄとを具備し、情報管理手段（５０）から切手収容箱１１を指定して出力された表示信号に基づき各切手収容箱に対応された各表示器１３Ａ〜１３Ｎ（１４Ａ〜１４Ｎ）に当該切手販売情報を表示可能かつ情報管理手段（５０）から切手払出ユニット２１を指定して出力された当該切手販売情報を含む駆動信号に基づき当該切手払出ユニット２１に当該切手販売情報に対応する切手７を自動払出可能に形成されている。
【００３１】
なお、“切手”には、上記の通り、“収入印紙”および“特許印紙”が含まれ、これらについても本発明は適応される。
【００３２】
図３，図４において、切手整理棚１０は、棚本体１０Ｂに開閉可能な複数（Ｎ）の切手収容箱１１Ａ〜１１Ｎが装着され、正面右側には各切手収容箱１１Ａ〜１１Ｎに対応された各デジタルスイッチ（箱ＩＤ設定手段）１２Ａ〜１２Ｎが設けられ、かつ正面左側には各切手収容箱１１Ａ〜１１Ｎに対応されたランプ（表示器）１３Ａ〜１３Ｎが設けられている。各切手収容箱１１Ａ〜１１Ｎには、各金額（種類）の異なる多数（１００枚）の切手７が連続する図１０に示す各切手シート１の複数枚が収容されている。
【００３３】
なお、表示器（１３）は、情報管理手段（５０）から切手収容箱１１を指定して出力された表示信号に基づき、少なくても金額および枚数を含む切手販売情報を表示可能な例えば図５に示す液晶表示器１４から形成してもよい。かくすれば、切手７の金額（例えば、“￥１００”）と当該時の販売枚数（例えば、“５枚”）とを目視確認可能になる。つまり、取出す切手枚数を正確に目視確認できるので、切手販売事務能率をより大幅に向上できる。
【００３４】
後記する各切手払出ユニット２１の表示器（７６）についても、同様に金額および枚数を含む切手販売情報を表示可能な図５に示す液晶表示器７７としてもよい。
【００３５】
図３，図６〜図９において、自動払出機２０は、複数（４）の切手払出ユニット２１Ａ〜２１Ｄを上下方向に積重ねた構成とされ、各切手払出ユニット２１Ａ〜２１Ｄの中央に配設された各払出口２１ＷＡ〜２１ＷＤの右側には当該各切手払出ユニット２１Ａ〜２１Ｄに対応された各デジタルスイッチ（ユニットＩＤ設定手段）７５Ａ〜７５Ｄが設けられ、かつ正面左側にはランプ（表示器）７６Ａ〜７６Ｄが設けられている。
【００３６】
なお、最下段には、切手販売代金を収容可能な自動開放型のドロワ２９が配設されている。
【００３７】
また、この実施形態では、各切手払出ユニット２１には売れ筋切手７（１）を収容し、かつ切手整理棚１０の各切手収容箱１１にはその余の切手を収容してある。したがって、係員の負担を軽減しつつ販売事務能率を一段と大幅に向上できる。
【００３８】
各切手払出ユニット２１は、図６に示すごとく、複数枚の切手シート１を収容可能な切手収容カセット２２（給送ローラ２２Ｒ）と，切手シート１を搬送（Ｘ）方向へ搬送する搬送手段２３（搬送ローラ２３Ｕ，２３Ｄ）と，切手シート１を切断する切断手段２６と，切手シート１から切断された指定枚数の切手７を払出口２１Ｗから払出す払出手段２７（払出ローラ２７Ｕ，２７Ｄ）とから形成されている。７０は、ユニット制御部である。
【００３９】
切手収容カセット２２には、図１８の場合と同様な切手シート１が図１０に示す姿態、つまり搬送（Ｘ）方向にミシン目無しの縁端３Ｌが来るように収容されている。すなわち、行方向ミシン目５がＸ方向に直交する状態で搬送可能とする。かくすれば、図８に示す行方向カッター２６ＣＧが行方向ミシン目５のみを切断すればよいから、負荷の均一化と円滑切断を達成できる。なお、図１０で６Ｕ，６Ｄは縁端である。
【００４０】
換言すれば、行方向カッター２６ＣＧが縁端３Ｌを列方向ミシン目２の伸る方向に切断しなければならない場合の負荷変動を一掃することができる。
【００４１】
搬送手段２３は、切手収容カセット２２から取出された切手シート１をＸ方向に搬送し、その先端側が切断テーブル２５に到達したところで、停止させる。検出手段２４（発光器２４Ｄ，受光器２４Ｕ）が行方向ミシン目５を検出したことに基く。
【００４２】
この切断テーブル２５は、図７，図８に示すＶ字形状の１つの行方向溝２５ＶＧと，Ｖ字形状の列方向ミシン目２の数と同数の列方向溝２５ＶＲを有する。Ｖ字形状としたのは、各ミシン目２，５の円滑切断および機械的位置調整の容易化と、当該各カッター２６ＣＧ，２６ＣＲとの協動によって搬送された切手シート１のスキュー（斜行）を補正可能とするためである。
【００４３】
切断手段２６は、図９に示すスライダー２６０にソロバン玉形状で双方向切断可能な行方向カッター２６ＣＧと，先端（下端）に凹凸（ギザギザ）が設けられかつ薄板形状の列方向カッター２６ＣＲを装着してなる。
【００４４】
行方向カッター２６ＣＧ（回転軸２６４）は、スライダー２６０と一体的なブラケット２６２に軸受２６３を介して回転自在に装着され、回転軸２６４の方向に変位可能である。カッター２６ＣＧの行方向溝２５ＶＧへの馴染み性およびスキュー補正効果の向上を図る。
【００４５】
列方向カッター２６ＣＲは、行方向ミシン目５の伸びる方向（図１０で左右方向）に撓み変形可能である。カッター２６ＣＲの列方向溝２５ＶＲへの馴染み性およびスキュー補正効果の向上を図る。
【００４６】
また、この列方向カッター２６ＣＲは、図９に示す２位置型のシリンダ２６７により昇降可能である。上昇位置では、当該下端（凹凸部）が行方向カッター２６ＣＧの下端よりも上の位置にある。行方向カッター２６ＣＧによる行方向ミシン目５の切断中に、カッター２６ＣＲの下端部が切手シート１に対して非接触状態を保てるようにするためである。つまり、列方向ミシン目２の切断時に下降させれる。
【００４７】
このスライダー２６０は、図８に示す移動手段９０で行方向溝２５ＶＧの長手方向に往復移動可能である。すなわち、左右の昇降体９１，９１に渡架された移動手段の一部を形成するガイドバー９４に摺動自在に装着され、スプロケット９２，９２間に張設されたロープ９３の移動に伴って移動される。
【００４８】
昇降手段２００は、切断テーブル２５を図７でＸ方向を挟んだ両側の計４本の支柱２０１と，これら支柱２０１に上下動可能に装着された昇降体９１，９１を昇降させる２位置型のシリンダ２０２，２０２とからなり、常態では行方向カッター２６ＣＧの下端部が切断テーブル２５（切手シート１）に非接触となる位置に保持し、行方向ミシン目５を切断する時期にシリンダ２０２を働かせて昇降体９１を下降させる。
【００４９】
この際、図９に示すシリンダ２６７は、列方向カッター２６ＣＲの下端部が切手シート１に接触しないように保持する。つまり、シリンダ２６７の昇降ストロークは、シリンダ２０２の昇降ストロークよりも大きい。
【００５０】
払出手段２７は、ワンウェイクラッチ（トルククラッチ等でもよい。）を組み込んだ払出ローラ２７Ｕ，２７Ｄからなり、切断された切手７をその後端部をくわえた状態でかつその先端部が払出口２１Ｗから突出する状態で払出可能に形成されている。その先端部を係員が引張ることにより、取出せる。
【００５１】
また、図３に示す切手再販管理ボックス３０は、入力された切手販売取消情報に対応する切手７を収容可能なボックス（収納箱）３１と，このボックス３１に収容された切手７の少なくても金額および枚数を含む切手再販売可能情報を表示可能な表示器８４から形成されている。この表示器８４は、図１１に示す液晶表示器からなる。
【００５２】
図１において、棚制御部６０は、ＣＰＵ６１，ＲＯＭ６２，ＲＡＭ６３（箱ＩＤテーブル６３Ｔ），各入出力ポート（Ｉ／Ｏ）およびインターフェイス（Ｉ／Ｆ）を含み、切手整理棚１０全体を駆動制御可能である。
【００５３】
各入出力ポートには、各デジタルスイッチ（箱ＩＤ設定手段）１２Ａ〜１２Ｎ，各切手収容箱１１Ａ〜１１Ｎに対応された目視確認用のランプ（表示器）１３Ａ〜１３Ｎおよび各ソレノイド（図示省略）が接続されている。
【００５４】
各デジタルスイッチ１２Ａ〜１２Ｎは、各切手収容箱１１Ａ〜１１Ｎごとの当該各収容切手の金額を含む箱ＩＤを設定入力する箱ＩＤ設定手段を形成する。例えば、最上段の切手収容箱１１Ａに収容された切手金額（種類）と，入出力ポートのポート番号（上から何番目の切手収容箱というような抽象的なものでもよい。）とを設定する。
【００５５】
また、各ランプ（表示器）１３は、表示信号により点滅（点灯…消灯）し、点灯によって表示信号（切手販売情報）に対応する切手７が収容されている切手収容箱１１を目視確認可能とするものである。
【００５６】
なお、表示態様は、点灯のみならずフリッカー表示等を選択してもよい。また、目視確認用のためには、個別的ランプでなく、各切手収容箱に共通な例えば箱一覧表示器等としてもよい。さらに、上記の通り、図５に示すように“金額および枚数”を表示可能にしてもよい。
【００５７】
各ソレノイドは、各切手収容箱１１Ａ〜１１Ｎに対応され、当該各切手収容箱１１Ａ〜１１Ｎを開放阻止状態および開放許可状態のいずれかに選択切替可能なフック等を含むロック機構（図示省略）の一部を構成し、表示信号を直接または間接的に利用したラッチ開放信号［励磁（ＯＮ）信号］により、開放許可状態つまり係員が当該切手収容箱１１を手動で引き出す（開放する）ことができる状態に切替えることができる。なお、間接的利用とは、表示信号を例えば開閉信号（ＯＮ−ＯＦＦ信号）に変換してから使用すること等である。
【００５８】
この棚制御部６０とデータ通信回線６９を介して接続された図１に示すパソコン５０は、ＣＰＵ５１，ＲＯＭ５２，ＲＡＭ５３，ＨＤＤ（ハードディスク装置）５４，各インターフェイス（Ｉ／Ｆ）および各ドライバ（ＤＲＶＲ）を含み、切手販売情報入力手段（４０）を用いて入力された切手販売情報を管理するための情報管理手段を形成する。なお、情報管理手段はパソコンではなく専用窓口端末であってもよい。
【００５９】
ＲＡＭ５３には、ワークエリアを形成する他に、管理ファイル５３ＩＦ，ＩＤファイル５３ＩＤＦ，補充ファイル５３Ｍ，取消ファイル５３ＩＮＦおよび残り枚数ファイル５３ＺＦが形成されている。これらは、ＨＤＤ５４でバックアップされている。
【００６０】
また、プリンタ４５は、管理ファイル５３ＩＦや取消ファイル５３ＩＮＦに記憶された切手販売情報等を利用して集計・作成された各種データをレポートや帳票で印刷出力することができる。
【００６１】
図１に示す入力ユニット４０は、切手販売情報を入力するための切手販売情報入力手段を形成するもので、キーボード（ＫＢ）４１と表示器（ＩＮＤ）４２とからなる。このキーボード４１および表示器４２は、この実施形態の場合は、パソコン（情報管理手段）５０の標準入出力装置としても使用される。
【００６２】
このパソコン（情報管理手段）５０とデータ通信回線１０９を介して接続された払出機制御部１００は、ＣＰＵ１０１，ＲＯＭ１０２，ＲＡＭ１０３（ユニットＩＤテーブル１０３Ｔ），各インターフェイス（Ｉ／Ｆ）および入出力ポート（Ｉ／Ｏ）を含み、各切手払出ユニット２１に共通で図１に示す自動払出機２０全体を駆動制御する。
【００６３】
各切手払出ユニット２１用の図２に示す各ユニット制御部７０Ａ〜７０Ｄは、インターフェイス（Ｉ／Ｆ），データ通信回線７９を介して払出機制御部１００に接続されている。また、図３に示す切手払出ユニット２１の最下段に配設された自動開閉型のドロワ２９は、入出力ポート（Ｉ／Ｏ）を介して接続されている。
【００６４】
各ユニット制御部７０（７０Ａ〜７０Ｄ）は、図２に示すＣＰＵ７１，ＲＯＭ７２，ＲＡＭ７３（ユニットＩＤテーブル７３Ｔ），各ドライバ（ＤＲＶＲ）および入出力ポート（Ｉ／Ｏ）を含み、各切手払出ユニット２１に払出機制御部１００から指令された指定枚数の切手７を搬送・切断・払出させるように駆動制御する。
【００６５】
デジタルスイッチ７５（図３に示す各デジタルスイッチ７５Ａ〜７５Ｄ）は、各切手払出ユニット２１Ａ〜２１Ｄごとの当該各収容切手の金額を含むユニットＩＤを設定入力するためのユニットＩＤ設定手段を形成する。例えば、最上段の切手払出ユニット２１Ａに収容された切手金額（種類）と，入出力ポートのポート番号（上から何番目の切手払出ユニットというような抽象的なものでもよい。）とを設定する。
【００６６】
また、ランプ７６（各ランプ７６Ａ〜７６Ｄ…表示器）は、駆動信号により点滅（点灯…消灯）し、点灯によって当該各切手払出ユニット２１から指定枚数の切手７が自動的に払出されることを目視確認可能とするものである。
【００６７】
なお、表示態様は、点灯のみならずフリッカー表示等を選択してもよい。また、目視確認用のためには、個別的ランプでなく、各切手収容箱に共通な例えばユニット一覧表示器等としてもよい。また、図５に示す液晶表示器７７から形成してもよい。
【００６８】
検出手段２４は、切手シート１の搬送・停止用のセンサ（発光器２４Ｄ，受光器２４Ｕ）で、行方向ミシン目５を検出する。これにより、搬送手段２３をコントロールして、切手７の後方側の行方向ミシン目５が行方向溝２５ＶＧに位置決めされる。
【００６９】
ここに、入力ユニット（切手販売情報入力手段）４０およびパソコン（情報管理手段）５０を便宜的に一体として表現した図１２，図１３において、情報管理手段（５０）は、棚制御部６０から受信（図１３のＳＴ２１でＹＥＳ）した箱ＩＤおよび払出機制御部１００から受信（ＳＴ２１のＹＥＳ）したユニットＩＤを、ＩＤファイル５３ＩＤＦに記憶する（ＳＴ２２）。
【００７０】
また、情報管理手段（５０）内の記憶制御手段（ＣＰＵ５１，ＲＯＭ５２）は、切手販売情報入力手段（４１）を用いて入力（図１２のＳＴ１０でＹＥＳ）された切手販売情報をＲＡＭ６３に一時記憶（ＳＴ１１）する。
【００７１】
この切手販売情報入力手段（４０）および情報管理手段（５０）のいずれかから、切手整理棚１０（６０）へ切手収容箱１１を指定した表示信号（切手販売情報）および切手払出ユニット２１を指定した駆動信号（切手販売情報）を出力することができる。この実施形態では、情報管理手段（５０）から出力するものとされている。
【００７２】
また、パソコン（情報管理手段）５０内の表示制御手段（ＣＰＵ５１，ＲＯＭ５２）は、入力された切手販売情報を表示器（ＩＮＤ）４２に表示する（ＳＴ１２）。入力した切手販売情報を直ちに確認することができる。
【００７３】
なお、この表示器（４２）は、切手販売情報入力手段（４０）および情報管理手段（５０）の構成・レイアウト等によっては、そのいずれか側に設ければよい。また、双方に設けることもできる。
【００７４】
切手販売情報は、切手７の“金額および枚数”，“種類と枚数”あるいは“何（例えば、１０００）円分”の如きもので、客希望の購入条件（対象）を満たすことのできる情報である。この実施形態では、類例の一番多い“金額および枚数”として説明する。なお、同一客に対する複数種類の切手販売情報も入力するこができる（ＳＴ１３のＮＯ）。
【００７５】
かくして、図１に示す入力ユニット（切手販売情報入力手段）４０のキーボード４１を用いて当該客についての取引き締め操作である転送指令を発する（ＳＴ１３のＹＥＳ）と、情報管理制御手段（ＣＰＵ５１，ＲＯＭ５２）が、当該切手販売情報を管理ファイル５３ＩＦに記憶（管理）する（ＳＴ１４）。なお、管理は、例えば、係員ごとに累計され、さらには切手７の金額（種類）ごとに累計される。
【００７６】
しかる後に、切手販売情報出力制御手段（ＣＰＵ５１，ＲＯＭ５２）が、ＩＤファイル５３ＩＤＦを検索（ＳＴ１５）しかつ当該各切手販売情報（金額）の切手７を収容した切手収容箱１１を指定するための箱ＩＤを付した当該各切手販売情報（表示信号）を切手整理棚１０側の棚制御部６０へ出力（送信）する（ＳＴ１６）。
【００７７】
また、当該切手販売情報が、切手払出ユニット２１に係るものである場合には、当該ユニットＩＤを付した各切手販売情報（駆動信号）を払出機制御部１００へ出力（送信）する（ＳＴ１６）。
【００７８】
また、入力ユニット（切手販売情報入力手段）４０は、客希望金額または枚数の変更により戻された切手７についての切手販売取消情報をも入力（図１２のＳＴ１７でＹＥＳ）することができる。この切手販売取消情報は、一時記憶（ＳＴ１８）され、ボックス制御部８０へ出力（送信）される（ＳＴ１９）。その後に、管理ファイル５３ＩＦに反映（取消処理）される（ＳＴ２０）。
【００７９】
このボックス制御部８０は、図１に示す如く、ＣＰＵ８１，ＲＯＭ８２，ＲＡＭ８３，ドライバ（ＤＲＶＲ）およびインターフェイス（Ｉ／Ｆ）を含み、データ通信回線８９を介して接続されたパソコン（情報管理手段）５０から受信（図１７のＳＴ６０でＹＥＳ）した切手販売取消情報を再販テーブル８３Ｔに記憶（更新）する（ＳＴ６１）とともに、表示器（ＩＮＤ）８４に図１１に示す如く一覧表示（ＳＴ６２）する。
【００８０】
したがって、以降の客希望の切手が、表示された切手再販売可能情報に含まれている場合には、切手再販管理ボックス３０から取出して販売することができる。つまり、バラバラの切手７を優先的に処理できるので、締め操作時の在庫管理が容易になる。なお、この際は、再販宣言をしてから切手販売情報入力手段（４０）を用いて当該切手販売情報（変更後の情報）を入力するのが望ましい。自動払出との重複防止のためである。
【００８１】
さらに、この実施形態では、切手シート１の補充時にキーボード４１を用いて入力（図１３のＳＴ２３でＹＥＳ）された当該補充枚数Ｎｈが、パソコン（情報管理手段）５０内の補充ファイル５３Ｍに記憶（ＳＴ２４）されている。
【００８２】
比較判別手段（ＣＰＵ５１，ＲＯＭ５２）は、管理ファイル５３ＩＦで管理されている切手販売情報（金額ごとの累計値Ｎｉ）と設定記憶された補充枚数Ｎｈとを比較して、Ｎｉ≦Ｎｈであるか否かを判別（ＳＴ２５）する。
【００８３】
ＹＥＳ判別されると、残り枚数算出手段（ＣＰＵ５１，ＲＯＭ５２）が、残り枚数Ｎｚ（＝Ｎｈ−Ｎｉ）を算出する（ＳＴ２６）。この残り枚数Ｎｚは、残り枚数ファイル５３ＺＦに記憶（ＳＴ２７）されるとともに、残り枚数表示制御手段（ＣＰＵ５１，ＲＯＭ５２）によって、表示器４２に表示（ＳＴ２８）される。切手シート１の補充時期を正確に予測できる。
【００８４】
一方、切手整理棚１０側の棚制御部６０では、デジタルスイッチ（箱ＩＤ設定手段）１２を用いて当該箱ＩＤが入力（図１４のＳＴ３４のＹＥＳ）されると、ＩＤ記憶制御手段（ＣＰＵ６１，ＲＯＭ６２）が、箱ＩＤテーブル６３Ｔに記憶する（ＳＴ３５）。この箱ＩＤは、転送指令（ＳＴ３６のＹＥＳ）により、一括してパソコン（情報管理手段）５０へ転送される（ＳＴ３７，ＳＴ３８）。
【００８５】
ここにおいて、情報管理手段（５０）側から切手販売情報（切手収容箱を指定した表示信号）を受信（ＳＴ３０のＹＥＳ）すると、ユニット指令制御手段（ＣＰＵ６１，ＲＯＭ６２）が、箱ＩＤテーブル６３Ｔを検索（ＳＴ３１）して、当該切手販売情報に付された箱ＩＤに対応する切手収容箱１１を選択し、当該ランプ（表示器）１３へ具体的な表示信号を出力（ＳＴ３２）する。
【００８６】
また、ユニット指令制御手段（６１，６２）は、当該切手収容箱１１のロック機構（ソレノイド）へラッチ開放信号を出力（ＳＴ３３）する。したがって、当該切手収容箱１１を、開放許可状態にすることができる。
【００８７】
また、払出機制御部１００が情報管理手段（５０）側から切手販売情報（切手払出ユニットを指定した駆動信号）を受信（図１５のＳＴ４０でＹＥＳ）すると、ユニット駆動制御手段（ＣＰＵ１０１，ＲＯＭ１０２）が、ユニットＩＤテーブル１０３Ｔを検索（ＳＴ４１）して、当該切手販売情報に付されたユニットＩＤに対応する切手払出ユニット２１を選択し、当該切手払出ユニット２１へ具体的な駆動信号を出力（ＳＴ４２）する。
【００８８】
なお、各切手払出ユニット２１から設定されたユニットＩＤを受信（ＳＴ４３のＹＥＳ）した場合には、ユニットＩＤテーブル１０３Ｔに記憶（ＳＴ４４）する。各設定ユニットＩＤは、ＩＤ転送指令（ＳＴ４５のＹＥＳ）でパソコン（情報管理手段）５０へ転送される（ＳＴ４６，ＳＴ４７）。
【００８９】
払出機制御部１００から切手販売情報を受信（図１６のＳＴ５０でＹＥＳ）した当該切手払出ユニット２１の図２に示すユニット制御部７０は、当該ランプ（表示器）７６を点灯（表示）させ、当該切手払出ユニット２１から当該切手７が指定枚数だけ自動払出されることを知らせる（ＳＴ５１）。
【００９０】
引続き、ユニット制御部７０は、搬送手段２３を働かせて切手収容カセット２２から取出された切手シート１をＸ方向に搬送させ、その先端側が切断テーブル２５に到達したところで、停止させる（ＳＴ５２）。
【００９１】
次いで、切断手段２６を、昇降手段２００および移動手段９０とともに働かせて、当該切手販売情報に基づく指定枚数の切手７を切断させる（ＳＴ５３）。行方向ミシン目５および列方向ミシン目２で切断された指定枚数の切手７は、払出手段２７で払出口２１Ｗへ払出される（ＳＴ５４）。つまり、切手７の後端部がワンウェイクラッチを有する払出ローラ２７Ｕ，２７Ｄで係止された状態で、払出される。その先端部を係員が引張ることにより、当該切手７を取出せる。この際、ドロワ２９が自動開放される。
【００９２】
なお、各デジタルスイッチ（ユニットＩＤ設定手段）７５Ａ〜７５Ｄを用いて入力（ＳＴ５５のＹＥＳ）された各ユニットＩＤは、当該各ユニットＩＤテーブル７３Ｔに記憶（ＳＴ５６）され、かつ転送指令で払出機制御部１００へ送信される（ＳＴ５７〜ＳＴ５９）。
【００９３】
かかる実施形態の切手販売装置では、切手販売情報入力手段（４０）と、情報管理手段（５０）と、開閉可能な複数の切手収容箱１１および各切手収容箱に対応されかつ当該各切手販売情報を目視確認可能な各表示器１３（１４）を有する切手整理棚１０と、複数枚の切手シート１を収容可能な切手収容カセット２２，切手の搬送手段２３および切断手段２６を有し切手シート１を切断した指定枚数の切手を払出可能に形成された複数の切手払出ユニット２１とを具備し、切手販情報管理手段（５０）から切手収容箱１１を指定して出力された表示信号に基づき各切手収容箱に対応された各表示器に当該切手販売情報を表示可能かつ切手販情報管理手段（５０）から切手払出ユニット２１を指定して出力された当該切手販売情報を含む駆動信号に基づき当該切手払出ユニットに当該切手販売情報に対応する切手を自動払出可能に形成されているので、客希望の切手７を迅速かつ正確に取出せるとともに、事務能率を大幅に向上できる。取扱いも簡単である。
【００９４】
また、切手販売情報が金額および枚数を含むものとされているので、切手整理棚１０に収容された切手の取扱いが一段と容易でかつより正確な取出しができる。
【００９５】
また、切手販売情報入力手段（４０）が切手販売取消情報も入力可能かつ情報管理手段（５０）が入力された切手販売取消情報も管理可能に形成されかつ切手販売取消情報に対応する切手７を収容可能かつ収容された切手の少なくても金額および枚数を含む切手再販売可能情報を表示可能な切手再販管理ボックス３０が設けられているので、一旦販売した端数的でバラバラの切手の処理を簡単に行える。
【００９６】
また、切手整理棚１０に箱ＩＤ設定手段（１２）を設けかつ各切手払出ユニット２１にユニットＩＤ設定手段（７５）を設け、情報管理手段（５０）が設定された箱ＩＤを利用して切手収容箱１１を指定した表示信号を出力可能かつ設定されたユニットＩＤを利用して切手払出ユニット２１を指定した駆動信号を出力可能に形成されているので、各切手払出ユニット２１に例えば売れ筋切手を収容し直したり、各切手収容箱１１に収容する切手の種類（金額）を比較的に販売実績の少ないものを収容させる等のように、切手収容先の変更を簡単にすることができるから、取扱いが容易でかつ適応性が広い。
【００９７】
さらに、各切手払出ユニットが上下に積重ね配設されかつ最下段の各切手払出ユニットの下に切手販売代金を収容可能で自動開放可能なドロワ２９が配設されているので、代金処理を迅速かつ確実に行える。
【００９８】
さらに、各切手払出ユニット２１には売れ筋切手が収容されかつ各切手収容箱１１にはその余の切手が収容されているので、係員の負担を軽減しつつ販売事務能率を一段と大幅に向上できる。
【００９９】
さらにまた、切手シート１を行方向ミシン目５が搬送（Ｘ）方向と直交する方向で搬送可能に形成されているので、切断手段２６（行方向カッター２６ＣＧ）の負荷が安定し、円滑な切断ができる。
【０１００】
さらにまた、移動手段９０と昇降手段２００とを設け、行方向カッター２６ＣＧと，列方向カッター２６ＣＲとの干渉（切手シート１への同時接触）がないものとされているので、より円滑な切断ができる。
【０１０１】
【発明の効果】
請求項１の発明によれば、切手販売情報入力手段と、情報管理手段と、開閉可能な複数の切手収容箱および各表示器を有する切手整理棚と、切手収容カセット，搬送手段および切断手段を有し切手シートを切断した指定枚数の切手を払出可能に形成された複数の切手払出ユニットとを具備し、情報管理手段等から切手収容箱を指定して出力された表示信号に基づき各表示器に当該切手販売情報を表示可能かつ情報管理手段等から切手払出ユニットを指定して出力された当該切手販売情報を含む駆動信号に基づき当該切手販売情報に対応する切手を自動払出可能に形成された切手販売装置であるから、客希望の切手を迅速かつ正確に取出せるとともに、事務能率を大幅に向上できる。取扱いも簡単である。
【０１０２】
また、請求項２の発明によれば、切手販売情報が少なくても金額および枚数を含むものとされているので、請求項１の発明の場合と同様な効果を奏することができることに加え、さらに切手整理棚に収容された切手の取扱いが一段と容易でかつより正確な取出しができる。
【０１０３】
また、請求項３の発明によれば、切手販売情報入力手段が切手販売取消情報も入力可能かつ情報管理手段が入力された切手販売取消情報も管理可能に形成されるとともに、収容された切手の金額および枚数を含む切手再販売可能情報を表示可能な切手再販管理ボックスを設けた切手販売装置であるから、請求項１および請求項２発明の場合と同様な効果を奏することができることに加え、さらに一旦販売した端数的でバラバラの切手の処理を簡単に行える。
【０１０４】
また、請求項４の発明によれば、情報管理手段等が、切手整理棚側の箱ＩＤ設定手段を用いて設定された箱ＩＤを利用して切手収容箱を指定した表示信号を出力可能かつユニットＩＤ設定手段を用いて設定されたユニットＩＤを利用して切手払出ユニットを指定した駆動信号を出力可能に形成されているので、請求項１から請求項３までの発明の場合と同様な効果を奏することができることに加え、さらに各切手払出ユニットに例えば売れ筋切手を収容し直したり、各切手収容箱に収容する切手の種類（金額）を比較的に販売実績の多い切手を引き出し易い切手収容箱に収容させる等のように、切手収容先の変更を簡単にすることができるから、取扱いが容易でかつ適応性が広い。
【０１０５】
さらに、請求項５の発明によれば、各切手払出ユニットが上下に積重ね配設されかつ最下段に切手販売代金を収容可能で自動開放可能なドロワが配設されているので、請求項１から請求項４までの発明の場合と同様な効果を奏することができることに加え、さらに代金処理を迅速かつ確実に行える。
【０１０６】
さらに、請求項６の発明によれば、各切手払出ユニットには売れ筋切手が収容されかつ各切手収容箱にはその余の切手が収容されているので、請求項１から請求項５までの発明の場合と同様な効果を奏することができることに加え、さらに係員の負担を軽減しつつ販売事務能率を一段と大幅に向上できる。
【図面の簡単な説明】
【図１】本発明の実施形態を示すブロック図である。
【図２】同じく、各切手払出ユニットのユニット制御部を説明する他面ブロック図である。
【図３】同じく、切手整理棚，自動払出機および切手再販管理ボックスを説明するための正面図である。
【図４】同じく、切手整理棚の側面図である。
【図５】同じく、切手収容箱に対応する表示器の変形例を説明するための図である。
【図６】同じく、切手払出ユニットを説明するための側面図である。
【図７】同じく、切断テーブルを説明するための図である。
【図８】同じく、切断手段，移動手段および昇降手段を説明するための図である。
【図９】同じく、切断手段を説明するための側面図である。
【図１０】同じく、切手シートと搬送方向とを説明するための図である。
【図１１】同じく、切手再販管理ボックスの表示器を説明するための図である。
【図１２】同じく、切手販売情報入力手段および情報管理手段側の動作を説明するためのフローチャート（１）である。
【図１３】同じく、切手販売情報入力手段および情報管理手段側の動作を説明するためのフローチャート（２）である。
【図１４】同じく、棚制御部側の動作を説明するためのフローチャートである。
【図１５】同じく、払出機制御部側の動作を説明するためのフローチャートである。
【図１６】同じく、切手払出ユニット側の動作を説明するためのフローチャートである。
【図１７】同じく、ボックス制御部側の動作を説明するためのフローチャートである。
【図１８】従来例における切手シートを説明するための図である。
【符号の説明】
１  切手シート
２  列方向ミシン目
５  行方向ミシン目
７  切手
１０  切手整理棚
１０Ｂ  棚本体
１１  切手収容箱
１２  デジタルスイッチ（箱ＩＤ設定手段）
１３  ランプ（表示器）
１４  液晶表示器（表示器）
２０  自動払出機
２１  切手払出ユニット
２１Ｗ  払出口
２２  切手収容カセット
２３  搬送手段
２４  検出手段
２５  切断テーブル
２５ＶＧ  行方向溝
２５ＶＲ  列方向溝
２６  切断手段
２６ＣＧ  行方向カッター
２６ＣＲ  列方向カッター
２７  払出手段
２９  ドロワ
３０  切手再販管理ボックス
３１  ボックス
３２  表示器
４０  入力ユニット（切手販売情報入力手段）
４１  キーボード
４２  表示器
４５  プリンタ
５０  パソコン（情報管理手段）
５３ＩＤＦ  ＩＤファイル
５３ＩＦ  管理ファイル
６０  棚制御部
６３  ＩＤテーブル
７０  ユニット制御部
７３Ｔ  ユニットＩＤテーブル
７５  デジタルスイッチ（ユニットＩＤ設定手段）
７６  ランプ（表示器）
８０  ボックス制御部
８３Ｔ  再販テーブル
８４  表示器
９０  移動手段
１００  払出機制御部
１０３Ｔ  ユニットＩＤテーブル
２００  昇降手段
２６０  スライダー
【図１】
0003792397.tif 000002
【図２】
0003792397.tif 000003
【図３】
0003792397.tif 000004
【図４】
0003792397.tif 000005
【図５】
0003792397.tif 000006
【図６】
0003792397.tif 000007
【図７】
0003792397.tif 000008
【図８】
0003792397.tif 000009
【図９】
0003792397.tif 000010
【図１０】
0003792397.tif 000011
【図１１】
0003792397.tif 000012
【図１２】
0003792397.tif 000013
【図１３】
0003792397.tif 000014
【図１４】
0003792397.tif 000015
【図１５】
0003792397.tif 000016
【図１６】
0003792397.tif 000017
【図１７】
0003792397.tif 000018
【図１８】
0003792397.tif 000019